(57)【要約】【課題】  従来、ペットボトルに代表されるキャップ付きボトル型樹脂容器は、開栓後において、キャップ周状バンドが材質の異なる異質物として、ボトル口部外周スクリュー部下に設置されている周状の突起下に残された。【解決手段】  従来のペットボトルに代表されるキャップ付きボトル型樹脂容器の持つ機能を損なうことなく、開栓後においてキャップ周状バンドを軽く上に支えながら閉栓方向に回転させることにより、ごく簡単にボトル口部より除去することを可能にした。【選択図】  図６
2006232392.tif 000002
【特許請求の範囲】
【請求項１】
開栓後にボトル口部周方向突起の下部に残留したキャップ周状バンドは、それ単独でボトル口部上方向へ支えながら閉栓方向へ回転させることにより、ボトル口部周方向突起上端部へ移行するペットボトルに代表されるキャップ付きボトル型樹脂容器。
【請求項２】
ボトル口部周方向突起の突起上端部には開栓方向側に下るスロープ状面を設置する請求項１に記載のペットボトルに代表されるキャップ付きボトル型樹脂容器
【請求項３】
請求項２に記載した開栓方向側に下るスロープ状面がボトル口部周方向突起下端フラット面に到達する箇所付近には上記突起が欠損する箇所が存在する請求項１乃至２に記載のペットボトルに代表されるキャップ付きボトル型樹脂容器。
【請求項４】
請求項２に記載のボトル口部周方向突起の欠損する箇所に隣接する開栓方向側のボトル口部周方向突起下端面から閉栓方向側の上端部に向けたスロープ状面をその下端面に形成する請求項１乃至３に記載のペットボトルに代表されるキャップ付きボトル型樹脂容器。
【請求項５】
請求項２に記載した上端部にスロープ状面を形成するボトル口部周方向突起下端面から請求項３に記載したボトル口部周方向突起の欠損する箇所にかけたボトル口部周方向突起下端面に、その下端面のほぼ高さからボトル口部外周基礎面下方向及びボトル口部外周基礎面周方向に向けた突部を形成する請求項１乃至４に記載のペットボトルに代表されるキャップ付きボトル型樹脂容器。
【請求項６】
請求項５に記載した突部に隣接する閉栓方向側のボトル口部周方向突起下端面には凹部設置する請求項１乃至５に記載のペットボトルに代表されるキャップ付きボトル型樹脂容器。
【発明の詳細な説明】
【技術分野】
【０００１】  本発明はペットボトルに代表されるキャップ付きボトル型樹脂容器で、特にリサイクル及びリターナブルを前提としたキャップ付ボトル型樹脂容器としての使用に適した、主にペットボトルのボトル口部外周の構造に関する。
【背景技術】
【０００２】  従来、一般の使用に供されているペットボトルに代表されるキャップ付きボトル型樹脂容器は、ボトルキャップとその下端に、複数のブリッジにより連結されたキャップ周状バンドがボトル口部に締結されており、上記各部で構成されたボトルキャップほかの開栓方向への回転並びに上昇により、ボトル口部外周スクリュー部下部に設置されているボトル周方向突起下端面とキャップ周状バンド内周面に設置された突片等との係合をもって、キャップ周状バンドが上記ブリッジの破断により完全にボトルキャップから分離し開栓するが、このキャップ周状バンドはボトル口部外周スクリュー部下部に設置されている上記周方向突起下部に残されるため、特にリサイクルにあたり材質の異なる異質物としてこのキャップ周状バンドを分離除去する必要がある。
【発明の開示】
【発明が解決しようとする課題】
【０００３】  この発明は、ペットボトルに代表されるキャップ付きボトル型樹脂容器が、ボトルキャップ体の開栓時に、ボトルキャップ本体から分離しボトル口部周方向突起下部に残されるキャップ周状バンドを、従来のペットボトルに代表されるキャップ付きボトル型樹脂容器のもつ機能を損なうことなく、容易に除去することの可能な上記ボトル型樹脂容器の提供を主な目的としている。
【問題を解決するための手段】
【０００４】  この目的を解決するために、本発明によれば主にボトル口部外周スクリュー部下部の周方向には下端にフラット面を有したボトル口部周方向突起がその周上の一部を除く箇所に設けられ、このボトル口部周方向突起上端部は開栓方向側に下るスロープ状面を有すること及びボトル口部周方向突起に係る突起の全く存在しない箇所を有すること及び主に上記開栓方向側に下るスロープ状面を有するボトル口部周方向突起下端面からボトル口部周方向突起に係る突起の存在しない箇所にかけて、その下部に突部を有すること及び上記の突起の全く存在しない箇所に隣接するボトル口部周方向突起の開栓方向側には、ボトル周方向突起下端面から閉栓方向側の上端部に向けてその下端面にスロープ状面が形成されていることを主な特徴とする。
【発明の効果】
【０００５】  本発明によるペットボトルに代表されるキャップ付きボトル型樹脂容器は、ボトルキャップ体の開栓にあたり、ボトル口部周方向突起下部に残されるキャップ周状バンドを、器具等を用いることなく、指先等で軽く上方にささえながら閉栓方向に回転させることにより、容易にボトル口部より取り除くことの可能なペットボトルに代表されるキャップ付きボトル型樹脂容器であり、消費者の利便性及び主にリサイクル時の効率、品質に、またリターナブルとして使用する場合に優れた効果を期待できる。
【発明を実施するための最良の形態】
【０００６】  本発明によるペットボトルに代表されるキャップ付きボトル型樹脂容器について図面番号を付記して述べるが、従来、一般の使用に供されているボトルキャップ体４は、その開栓にあたり、ダンパーエビデント性を担うキャップ周状バンド６をボトル口部周方向突起８下部に残すわけだが、本発明によればボトル口部外周１の構造により、従来のキャップ周状バンド６が担ったダンパーエビデント性を損なうことなく、ボトルキャップ体４の開栓後においてキャップ周状バンド６を容易にボトル口部より取り除くことが可能である。【０００７】  ボトル口部外周１の構造については、ボトル口部周方向突起８の一部分に、その上端部から開栓方向の下端面に向けたスロープ状の面１１を形成し、そのスロープ状の面がボトル口部周方向突起の下端面に到達する箇所には、結果的にボトル口部周方向突起の欠損部分１４が生じる。【０００８】  また、上記欠損部分１４と隣接するボトル口部周方向突起の開栓方向側には、ボトル口部周方向突起の下端面から閉栓方向のその上端部に向けたスロープ状の面１２をボトル口部周方向突起の下端面側に形成し、さらに上述の上端部から開栓方向の下端面に向けたスロープ状の面１１を形成するボトル口部周方向突起の下部付近から上述のボトル口部周方向突起の欠損部分１４にかけたボトル口部周方向突起の下部には、主にその下端面よりボトル口部下方基礎面に向けたスロープ状の突部１３を形成する。【０００９】  以上のような形状をもつ本発明において、締結された未開栓のボトルキャップ体４は、開栓によりボトルキャップ本体５及びボトル本体下端部と破断可能なブリッジ１６により連結されたキャップ周状バンド６が開栓方向にボトル口部外周１を回転しながら上昇していくが、この時、ブリッジ破断に至るまでの開栓によるボトルキャップ体４の回転によりキャップ周状バンド内周面に設置された突片等７はボトル周方向突起下端面９との係合を保ちつつ同様に開栓方向に回転するが、このブリッジ破断に至るまでのボトルキャップ体４の回転においてキャップ周状バンド内周面に設置された突片等７は本発明によるボトル口部構造部を通過することとなる。【００１０】  その際、ボトル口部周方向突起上端部より開栓方向の下端面に向けたスロープ状の面１１を形成するボトル口部周方向突起の下部付近に設置された突部１３をキャップ周状バンド内周面に設置された突片等７は通過することとなるが、この突部１３はボトル周方向突起下端面９とその下部のボトル口部基礎面２との段差を解消するとともに、ほぼ鉛直にボトル口部基礎面２に向けてスロープを形成し、ダンパーエビデント性を確保する役割を担うものであるが、上記突片等７が開栓方向に移行する際、上記突片等７をボトル口部周方向突起下端面９との係合から外し、ボトル口部周方向突起上端部１０方向に移行させようとする。【００１１】  しかし、ボトル口部周方向突起欠損箇所１４を通過した上記突片等７は、ボトル口部周方向突起の下端面から閉栓方向の上端部に向けたスロープ状の面１２及び通常に設置されるボトル口部周方向突起下端面９との係合により、開栓方向への回転によってボトル口部周方向突起上端部１０に移行することはなく、ボトルキャップ体４の開栓によりブリッジは確実に破断し、ボトルキャップ本体５はキャップ周状バンド６をボトル口部周方向突起８下部に残して、ボトルキャップ本体５のみがボトル口部より抜き取られる。【００１２】  ここで、ボトル口部周方向突起８下部に残存するキャップ周状バンド６の除去であるがキャップ周状バンド６は軽くボトル口部上方に持ち上げつつ閉栓方向に回転させることにより、ごく簡単にボトル口部周方向突起上端部１０へ移行させることが可能である。【００１３】  これはキャップ周状バンド６を閉栓方向に回転させることにより、ボトル口部周方向突起上端部から開栓方向下端面に向けて形成されたスロープ状の面１１及びほぼその下端面から鉛直にボトル口部基礎面に向けてスロープを形成する突部１３によりキャップ周状バンド内周面に設置された突片等７がボトル口部周方向突起下端面９との係合をはずれ、キャップ周状バンド６をボトル口部周方向突起上端部１０にごく簡単に移行させることが出来るものであり、その後、キャップ周状バンド６はボトルスクリュー部３を通過し、ボトル口部より除去されるものである。【００１４】  最後に、ボトル口部周方向突起下端面の一部からボトル口部基礎面下方に向けて設置されるスロープ状の突部１３の閉栓方向側に隣接するボトル口部周方向突起下端面９には、キャップ周状バンド６引き上げ補助凹部１５を設置することにより、キャップ周状バンド６の引き上げ時初期に、キャップ周状バンド６のボトル口部周方向突起上端部１０への移行をさらに容易にする。
【図面の簡単な説明】
【００１５】
【図１】  ボトル口部外周正面図である。
【図２】  ボトル口部外周部分断面図である。
【図３】  ボトルキャップ体閉栓時正面図である。
【図４】  ボトルキャップ体閉栓時正面展開図ほかである。（ａ）ボトルキャップ体閉栓時正面展開図  （ｂ）ボトルキャップ体閉栓時正面展開部分図  （ｃ）部分断面図
【図５】  ボトル口部周方向突起周辺部分図ほかである。（ａ）ボトル口部周方向突起閉栓方向側部分図  （ｂ）ボトル口部周方向突起開栓方向側部分図  （ｃ）ボトル口部周方向突起下端面にかかる突部部分図
【図６】  ボトルキャップ体開栓時正面図である。
【符号の説明】
【００１６】  １  ボトル口部外周
２  ボトル口部基礎面
３  ボトルスクリュー部
４  ボトルキャップ体
５  ボトルキャップ本体
６  キャップ周状バンド
７  キャップ周状バンド内周面に設置された突片等
８  ボトル口部周方向突起
９  ボトル口部周方向突起下端面
１０  ボトル口部周方向突起上端部
１１  開栓方向側に下るボトル口部周方向突起上端スロープ状面
１２  閉栓方向側上端部に向けたボトル口部周方向突起下端スロープ状面
１３  ボトル口部基礎面に向けたスロープ状の突部
１４  ボトル口部周方向突起欠損部
１５  キャップ周状バンド引き上げ補助凹部
１６  破断可能な連結ブリッジ
【図１】
2006232392.tif 000003
【図２】
2006232392.tif 000004
【図３】
2006232392.tif 000005
【図４】
2006232392.tif 000006
【図５】
2006232392.tif 000007
【図６】
2006232392.tif 000008